(57)【要約】【課題】ロック状態の解除のための操作を利用者が容易に把握できるようにする。【解決手段】可搬型の情報処理装置１００は、待機状態にある当該情報処理装置１００の移動を検出する移動解析部３０と、移動解析部３０が情報処理装置１００の移動を検出した場合に、動画像とロック解除のための解除アイコンとを含むロック画面を表示装置１４に表示させる表示制御部３２とを具備し、表示制御部３２は、動画像の再生に並行して解除アイコンの表示態様を変化させる。【選択図】図２
2019028944.tif 000002
【特許請求の範囲】
【請求項１】
表示装置を具備する可搬型の情報処理装置のコンピュータを、
待機状態にある前記情報処理装置の移動を検出する移動解析部、および、
前記移動解析部が前記情報処理装置の移動を検出した場合に、動画像とロック解除のための解除アイコンとを含むロック画面を前記表示装置に表示させる表示制御部
として機能させるプログラムであって、
前記表示制御部は、前記動画像の再生に並行して前記解除アイコンの表示態様を変化させる
プログラム。
【請求項２】
前記移動解析部は、前記情報処理装置の移動速度および／または移動方向を特定し、
前記表示制御部は、前記移動解析部が特定した移動速度および／または移動方向に応じて前記ロック画面の表示を制御する
請求項１のプログラム。
【請求項３】
前記表示制御部は、前記移動解析部が特定した移動方向に応じて前記ロック画面の表示方向を制御する
請求項２のプログラム。
【請求項４】
前記表示制御部は、前記移動解析部が特定した移動速度に応じて、前記動画像を前記ロック画面に表示するか否かを制御する
請求項２または請求項３のプログラム。
【請求項５】
前記表示制御部は、前記移動解析部が特定した移動速度に応じて、前記動画像の再生速度を制御する
請求項２から請求項４の何れかのプログラム。
【請求項６】
前記移動解析部は、前記情報処理装置の移動速度および／または移動方向を特定し、
ロック解除のための複数種の認証処理のうち、前記移動解析部が特定した移動速度および／または移動方向に応じた認証処理を実行する認証処理部
を具備する請求項１のプログラム。
【請求項７】
前記移動解析部は、前記情報処理装置の移動速度および／または移動方向を特定し、
前記移動解析部が特定した移動速度および／または移動方向に応じたプログラムを、ロック解除後に起動する動作制御部
を具備する請求項１のプログラム。
【請求項８】
前記移動解析部は、前記情報処理装置の移動速度および／または移動方向を特定し、
前記移動解析部が特定した移動速度および／または移動方向に応じて、ロック解除後の動作モードを設定する動作制御部
を具備する請求項１のプログラム。
【請求項９】
待機状態にある可搬型の情報処理装置の移動を検出し、
前記情報処理装置の移動を検出した場合に、動画像とロック解除のための解除アイコンとを含むロック画面を表示装置に表示させ、前記動画像の再生に並行して前記解除アイコンの表示態様を変化させる
情報処理装置の動作方法。
【発明の詳細な説明】
【技術分野】
【０００１】
本発明は、携帯電話機またはスマートフォン等の可搬型の情報処理装置の動作に関する。
【背景技術】
【０００２】
携帯電話機またはスマートフォン等の各種の情報処理装置において、特定の動作が制限されたロック状態を解除するための技術が従来から提案されている。例えば特許文献１および特許文献２には、利用者が情報処理装置を手に取ったことを契機としてロック状態を解除する構成が開示されている。
【先行技術文献】
【特許文献】
【０００３】
【特許文献１】特表２０１５−５２８２５３号公報
【特許文献２】特開２０１４−１６１０６３号公報
【発明の概要】
【発明が解決しようとする課題】
【０００４】
しかし、例えば情報処理装置の操作の不慣れな高齢者等の利用者にとって、ロック状態を解除するために必要な操作を把握することが困難である、という状況が想定される。以上の事情を考慮して、本発明の好適な態様は、ロック状態の解除のための操作を利用者が容易に把握できるようにすることを目的とする。
【課題を解決するための手段】
【０００５】
以上の課題を解決するために、本発明の好適な態様に係るプログラムは、表示装置を具備する可搬型の情報処理装置のコンピュータを、待機状態にある前記情報処理装置の移動を検出する移動解析部、および、前記移動解析部が前記情報処理装置の移動を検出した場合に、動画像とロック解除のための解除アイコンとを含むロック画面を前記表示装置に表示させる表示制御部として機能させるプログラムであって、前記表示制御部は、前記動画像の再生に並行して前記解除アイコンの表示態様を変化させる。
【０００６】
本発明の他の態様に係る情報処理装置の動作方法は、待機状態にある可搬型の情報処理装置の移動を検出し、前記情報処理装置の移動を検出した場合に、動画像とロック解除のための解除アイコンとを含むロック画面を表示装置に表示させ、前記動画像の再生に並行して前記解除アイコンの表示態様を変化させる。
【発明の効果】
【０００７】
本発明によれば、ロック状態の解除のための操作を利用者が容易に把握することが可能である。
【図面の簡単な説明】
【０００８】
【図１】本発明の第１実施形態に係る情報処理装置の構成を示すブロック図である。
【図２】情報処理装置の機能的な構成を示すブロック図である。
【図３】ホーム画面の模式図である。
【図４】ロック画面の模式図である。
【図５】処理装置が実行する処理の内容を示すフローチャートである。
【図６】第２実施形態における情報処理装置の移動方向とロック画面との関係を示す模式図である。
【図７】第２実施形態における情報処理装置の移動方向とロック画面との関係を示す模式図である。
【図８】第３実施形態における表示制御部が実行する処理の内容を示すフローチャートである。
【図９】第３実施形態におけるロック画面の模式図である。
【図１０】第６実施形態の処理装置が実行する一部の処理の内容を示すフローチャートである。
【図１１】第７実施形態の処理装置が実行する一部の処理の内容を示すフローチャートである。
【図１２】変形例におけるロック画面の模式図である。
【発明を実施するための形態】
【０００９】
＜第１実施形態＞
図１は、本発明の第１実施形態に係る情報処理装置１００のハードウェア構成を例示するブロック図である。情報処理装置１００は、例えば携帯電話機、スマートフォンまたはタブレット端末等の可搬型の情報端末である。図１に例示される通り、情報処理装置１００は、処理装置１１と記憶装置１２と通信装置１３と表示装置１４と入力装置１５と検出装置１６とを具備するコンピュータシステムにより実現される。情報処理装置１００の各要素は、単体または複数のバスで相互に接続される。なお、本願における「装置」という用語は、回路、デバイスまたはユニット等の他の用語に読替えてもよい。また、情報処理装置１００の各要素は、単数または複数の機器で構成される。情報処理装置１００の一部の要素を省略してもよい。
【００１０】
処理装置１１（コンピュータの例示）は、情報処理装置１００の全体を制御するプロセッサであり、例えば単数または複数のチップで構成される。処理装置１１は、例えば、周辺装置とのインタフェース、演算装置およびレジスタ等を含む中央処理装置（ＣＰＵ：Central Processing Unit）で構成される。なお、処理装置１１の機能の一部または全部を、ＤＳＰ（Digital Signal Processor）、ＡＳＩＣ（Application Specific Integrated Circuit）、ＰＬＤ（Programmable Logic Device）、ＦＰＧＡ（Field Programmable Gate Array）等のハードウェアで実現してもよい。処理装置１１は、各種の処理を並列的または逐次的に実行する。
【００１１】
記憶装置１２は、処理装置１１が利用可能な記録媒体であり、処理装置１１が実行する複数のプログラムと処理装置１１が使用する各種のデータとを記憶する。記憶装置１２は、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）等の記憶回路の１種類以上で構成される。
【００１２】
通信装置１３は、移動体通信網またはインターネット等の通信網を介して他の装置と通信する機器である。通信装置１３は、例えばネットワークデバイス、ネットワークコントローラ、ネットワークカードまたは通信モジュールとも表記される。例えば、配信サーバ（図示略）から通信網を介して通信装置１３が受信したプログラムが記憶装置１２に記憶される。
【００１３】
表示装置１４は、処理装置１１による制御のもとで各種の画像を表示する。例えば液晶表示パネルまたは有機ＥＬ表示パネル等の各種の表示パネルが表示装置１４として好適に利用される。
【００１４】
入力装置１５は、利用者による操作を受付ける。例えば、入力装置１５は、数字および文字等の符号を入力するための操作と、表示装置１４が表示するアイコンを選択するための操作とを受付ける。具体的には、表示装置１４の表示面に対する接触を検出するタッチパネルが入力装置１５として利用される。なお、利用者が操作可能な複数の操作子を入力装置１５が含んでもよい。
【００１５】
検出装置１６は、情報処理装置１００の状態（例えば姿勢または移動）に応じた検出信号を生成するセンサである。具体的には、検出装置１６は、直交３軸の周囲の回転角を検出するジャイロセンサと、直交３軸の方向の加速度を検出する加速度センサと、地磁気を検出する磁気センサとを含んで構成される。ただし、検出装置１６の具体的な構成は、以上の例示に限定されない。
【００１６】
図２は、情報処理装置１００の機能に着目したブロック図である。記憶装置１２に記憶されたプログラムを処理装置１１が実行することで、図２に例示する複数の機能（移動解析部３０、動作制御部３１、表示制御部３２および認証処理部３３）が実現される。
【００１７】
移動解析部３０は、検出装置１６から出力される検出信号を利用して情報処理装置１００の移動を検出する。例えば、検出装置１６の加速度センサにより検出された加速度が所定の閾値を上回る場合、または、検出装置１６のジャイロセンサにより検出された回転角が所定の閾値を上回る場合に、移動解析部３０は情報処理装置１００が移動したと判定する。例えば、静止状態にある情報処理装置１００を利用者が把持して持上げた場合、移動解析部３０は情報処理装置１００の移動を検出する。移動解析部３０が検出する情報処理装置１００の「移動」は、情報処理装置１００自体の位置が変化する動きのほか、位置自体は殆ど変化せずに情報処理装置１００の姿勢が変化する動き（例えば回転）も包含する。
【００１８】
動作制御部３１は、情報処理装置１００の動作を制御する。第１実施形態の動作制御部３１は、情報処理装置１００の動作状態を、通常状態と待機状態とロック状態との間で遷移させる。通常状態は、例えば利用者からの指示に応じて種々のプログラム（アプリケーションプログラム）を実行可能な動作状態である。待機状態は、消費電力の削減のために情報処理装置１００の一部の機能を停止させた動作状態であり、スリープ状態またはスタンバイ状態とも表記され得る。例えば、待機状態では表示装置１４による表示動作が停止する。移動解析部３０は、待機状態において情報処理装置１００の移動を検出する。ロック状態は、通常状態と比較して動作が制限された動作状態である。例えば、通常状態で実行可能な複数の機能のうち一部の機能のみがロック状態では限定的に許可される。ロック状態では、表示装置１４による表示動作は実行される。
【００１９】
具体的には、通常状態において利用者が入力装置１５を操作することなく所定の時間が経過した場合に、動作制御部３１は、情報処理装置１００の動作状態を通常状態から待機状態に遷移させる。待機状態において移動解析部３０が情報処理装置１００の移動を検出すると、動作制御部３１は、情報処理装置１００の動作状態を待機状態からロック状態に遷移させる。ロック状態において後述の認証処理が成功すると、動作制御部３１は、情報処理装置１００の動作状態をロック状態から通常状態に遷移させる。すなわち、ロック状態が解除される。
【００２０】
図２の表示制御部３２は、表示装置１４に画像を表示させる。第１実施形態の表示制御部３２は、通常状態において図３のホーム画面４０を表示装置１４に表示させる。ホーム画面４０は、複数のプログラムにそれぞれ対応した複数のアイコン４１が配列された画像である。通常状態では、ホーム画面４０に配置された複数のアイコン４１のうち利用者が選択した１個のアイコン４１に対応するプログラムが実行される。表示制御部３２は、プログラムの実行画面を表示装置１４に表示させる。
【００２１】
表示制御部３２は、情報処理装置１００の動作状態が待機状態からロック状態に遷移すると、図４に例示されたロック画面５０を表示装置１４に表示させる。前述の通り、情報処理装置１００の動作状態は、移動解析部３０による移動の検出を契機として待機状態からロック状態に遷移する。すなわち、表示制御部３２は、情報処理装置１００の移動を移動解析部３０が検出した場合にロック画面５０を表示装置１４に表示させる。以上の説明から理解される通り、第１実施形態では、情報処理装置１００の移動を契機として動作状態がロック状態に遷移する。したがって、動作状態を待機状態からロック状態に遷移させるために利用者が入力装置１５を操作する必要がある構成と比較して、利用者の操作の負荷を軽減することが可能である。
【００２２】
ロック画面５０は、情報処理装置１００がロック状態にあることを表す画像である。図４には、ロック画面５０の経時的な遷移が図示されている。図４に例示される通り、ロック画面５０には、動画像５１と解除アイコン５２とが配置される。動画像５１は、例えば情報処理装置１００の動作状態が待機状態からロック状態に遷移したことを利用者に通知するための映像（アニメーション）である。記憶装置１２には、動画像５１を表す画像データが記憶される。表示制御部３２は、記憶装置１２に記憶された画像データを利用して表示装置１４に動画像５１を表示させる。図４に例示された動画像５１は、点状の画像が移動する軌跡により“Hello!”という単語の各文字が徐々に出現する様子を表現した映像である。動画像５１は、所定長の期間（以下「再生期間」という）にわたり再生される。再生期間が終了すると動画像５１は静止する。
【００２３】
図４の解除アイコン５２は、ロック状態の解除（すなわち動作状態への遷移）を利用者が指示するための画像である。記憶装置１２には、解除アイコン５２を表す画像データが記憶される。表示制御部３２は、記憶装置１２に記憶された画像データを利用して表示装置１４に解除アイコン５２を表示させる。
【００２４】
第１実施形態の表示制御部３２は、図４に例示される通り、動画像５１の再生に並行して解除アイコン５２の表示態様を経時的に変化させる。表示態様とは、視覚的に弁別可能な画像の状態を意味する。例えば、色彩の３属性である色相（色調）、彩度および明度（階調）のほか、表示位置、サイズおよび画像内容（例えば模様または形状）も、表示態様の概念に包含される。表示制御部３２は、動画像５１の再生期間内において解除アイコン５２の表示態様を連続的または段階的に変化させる。図４には、解除アイコン５２が移動するとともに解除アイコン５２の色彩が経時的に変化する様子が例示されている。以上の説明から理解される通り、利用者の注意を引くように解除アイコン５２が強調表示される。
【００２５】
再生期間が終了すると、解除アイコン５２の表示態様の変化が停止する。すなわち、再生期間の終点において動画像５１とともに解除アイコン５２が静止する。表示装置１４にロック画面５０が表示された状態では、再生期間の終了後はもちろん、再生期間内（すなわち解除アイコン５２の表示態様が変化している最中）においても、利用者は解除アイコン５２を操作することが可能である。
【００２６】
図２の認証処理部３３は、認証処理を実行する。認証処理は、利用者の正当性（具体的には、事前に登録された正規の利用者であるか否か）を判定する処理である。具体的には、利用者による解除アイコン５２の操作を契機として認証処理が実行される。認証処理が成功した場合にはロック状態が解除され、認証処理が失敗した場合にはロック状態は解除されない。
【００２７】
認証処理部３３が実行する認証処理の種類は任意である。例えばコード認証が認証処理の好適例である。コード認証は、数字および文字の一方または双方で構成された認証コード（例えばパスコードまたはパスワード）を利用する認証処理である。具体的には、認証処理部３３は、入力装置１５を利用して利用者が入力した認証コードと、事前に登録された参照データとを照合する。認証処理部３３は、利用者が入力した認証コードと登録済の参照データとが一致する場合に利用者の正当性を認証し（認証成功）、両者が相違する場合には利用者の正当性を否定する（認証失敗）。
【００２８】
図５は、処理装置１１による処理の内容（情報処理装置の動作方法）を例示するフローチャートである。情報処理装置１００の動作状態が通常状態から待機状態に遷移すると、図５の処理が開始される。
【００２９】
移動解析部３０は、検出装置１６から出力される検出信号を利用して情報処理装置１００の状態を解析し（Ｓａ１）、情報処理装置１００が移動したか否かを判定する（Ｓａ２）。情報処理装置１００の移動が検出されない状態（Ｓａ２：ＮＯ）では、情報処理装置１００の状態の解析（Ｓａ１）と移動の有無の判定（Ｓａ２）とが反復される。
【００３０】
情報処理装置１００の移動が検出された場合（Ｓａ２：ＹＥＳ）、例えば利用者が情報処理装置１００を把持して持上げた場合、動作制御部３１は、情報処理装置１００の動作状態を待機状態からロック状態に遷移させる（Ｓａ３）。表示制御部３２は、動画像５１と解除アイコン５２とを含む図４のロック画面５０を表示装置１４に表示させる（Ｓａ４）。
【００３１】
動作制御部３１は、利用者が解除アイコン５２を操作したか否かを判定する（Ｓａ５）。解除アイコン５２が操作されていない場合（Ｓａ５：ＮＯ）、表示制御部３２は、動画像５１の再生を進行させるとともに（Ｓａ６）、解除アイコン５２の表示態様を変化させる（Ｓａ７）。そして、動作制御部３１は、動画像５１の再生が終了したか否かを判定する（Ｓａ８）。なお、ステップＳａ５からステップＳａ７の処理の順序は任意であり、図５の例示には限定されない。
【００３２】
動画像５１の再生が終了した場合（Ｓａ８：ＹＥＳ）、表示制御部３２は、動画像５１および解除アイコン５２を静止させる（Ｓａ９）。そして、動作制御部３１は、利用者が解除アイコン５２を操作するまで待機する（Ｓａ１０）。動画像５１の再生が終了していない場合（Ｓａ８：ＮＯ）、処理はステップＳａ５に移行する。すなわち、動画像５１の再生期間が終了するまで、動画像５１の再生の進行（Ｓａ６）と解除アイコン５２の表示態様の変更（Ｓａ７）とが反復される。
【００３３】
利用者が解除アイコン５２を操作した場合（Ｓａ５またはＳａ１０：ＹＥＳ）、認証処理部３３は、認証処理を実行する（Ｓａ１１）。認証処理部３３による認証処理が成功した場合（Ｓａ１２：ＹＥＳ）、動作制御部３１は、情報処理装置１００の動作状態をロック状態から通常状態に遷移させる（Ｓａ１３）。すなわち、ロック状態が解除される。表示制御部３２は、ロック画面５０をホーム画面４０に変更する（Ｓａ１４）。他方、認証処理が失敗した場合（Ｓａ１２：ＮＯ）、動作制御部３１は、情報処理装置１００の動作状態をロック状態に維持したまま、処理をステップＳａ１０に移行する。
【００３４】
以上に説明した通り、第１実施形態では、動画像５１の再生に並行して解除アイコン５２の表示態様が変化するから、ロック状態の解除のための操作を利用者が容易に把握できるという効果が実現される。また、動画像５１の再生と解除アイコン５２の表示態様の変更とを視認することで、情報処理装置１００が適切に作動していることを利用者が視覚的および直観的に把握できるという利点もある。
【００３５】
＜第２実施形態＞
本発明の第２実施形態を説明する。なお、以下に例示する各形態において作用または機能が第１実施形態と同様である要素については、第１実施形態の説明で使用した符号を流用して各々の詳細な説明を適宜に省略する。
【００３６】
第２実施形態の移動解析部３０は、例えば図５のステップＳａ１において、情報処理装置１００の移動を検出するほか、情報処理装置１００の移動方向（具体的には回転方向）を特定する。具体的には、移動解析部３０は、検出装置１６から出力される検出信号を利用して情報処理装置１００の移動方向を特定する。
【００３７】
図６および図７は、情報処理装置１００の移動方向に関する説明図である。図６および図７に例示される通り、相互に直交するＸ方向およびＹ方向に沿って各縁辺が延在する略矩形板状の情報処理装置１００を想定する。例えば情報処理装置１００の短辺方向がＸ方向に相当し、長辺方向がＹ方向に相当する。
【００３８】
第２実施形態の移動解析部３０は、図６のようにＸ方向を水平方向に維持した状態（すなわち縦向き）で情報処理装置１００が回転したのか、図７のようにＹ方向を水平方向に維持した状態（すなわち横向き）で情報処理装置１００が回転したのかを特定する。図６の例示の通り、情報処理装置１００の回転軸がＸ方向に近い場合には、Ｘ方向を水平方向に維持した状態で情報処理装置１００が回転したと推定される。他方、図７の例示の通り、情報処理装置１００の回転軸がＹ方向に近い場合には、Ｙ方向を水平方向に維持した状態で情報処理装置１００が回転したと推定される。以上の関係を考慮すると、情報処理装置１００の回転軸の方向がＸ方向およびＹ方向の何れに近いかを移動解析部３０が判定する、と表現してもよい。
【００３９】
第２実施形態の表示制御部３２は、例えば図５のステップＳａ４において、移動解析部３０が特定した移動方向に応じてロック画面５０の表示方向を制御する。具体的には、図６に例示される通り、情報処理装置１００がＸ方向を水平方向に向けた状態（縦向き）で回転した場合、表示制御部３２は、ロック画面５０の縦方向ＤがＹ方向に沿うように表示装置１４にロック画面５０を表示させる。他方、図７に例示される通り、情報処理装置１００がＹ方向を水平方向に向けた状態（横向き）で回転した場合、表示制御部３２は、ロック画面５０の縦方向ＤがＸ方向に沿うように表示装置１４にロック画面５０を表示させる。なお、ステップＳａ１およびステップＳａ４以外の動作は第１実施形態と同様である。
【００４０】
第２実施形態においても第１実施形態と同様の効果が実現される。また、第２実施形態では、移動解析部３０が検出した移動方向に応じてロック画面５０の表示方向が制御される。したがって、情報処理装置１００の移動方向（具体的には縦向きおよび横向きの何れの状態で持上げられたか）に関わらず、利用者が適切に視認できる態様で表示装置１４にロック画面５０を表示させることが可能である。
【００４１】
＜第３実施形態＞
第３実施形態の移動解析部３０は、例えば図５のステップＳａ１において、情報処理装置１００の移動を検出するほか、情報処理装置１００の移動速度を特定する。具体的には、移動解析部３０は、検出装置１６から出力される検出信号を利用して情報処理装置１００の移動速度を特定する。
【００４２】
第３実施形態の表示制御部３２は、例えば図５のステップＳａ４において、移動解析部３０が特定した移動速度に応じて、動画像５１をロック画面５０に表示するか否かを制御する。情報処理装置１００の移動速度が速い場合には、利用者が急いでいて動画像５１を確認している余裕がない状況であると推定される。他方、情報処理装置１００の移動速度が遅い場合には、動画像５１を確認する時間の余裕が利用者にある状況であると推定される。以上の事情を考慮して、第３実施形態の表示制御部３２は、情報処理装置１００の移動速度が所定の閾値を上回る場合には動画像５１をロック画面５０に表示しない。
【００４３】
図８は、第３実施形態における表示制御部３２の動作を例示するフローチャートである。図５のステップＳａ４において図８の処理が実行される。表示制御部３２は、移動解析部３０が特定した移動速度を所定の閾値と比較し（Ｓａ４１）、移動速度が閾値を上回るか否かを判定する（Ｓａ４２）。移動速度が閾値を下回る場合（Ｓａ４２：ＮＯ）、表示制御部３２は、第１実施形態と同様に、動画像５１と解除アイコン５２とを含むロック画面５０を表示装置１４に表示させる（Ｓａ４３）。他方、移動速度が閾値を上回る場合（Ｓａ４２：ＹＥＳ）、表示制御部３２は、図９に例示される通り、解除アイコン５２を含み、かつ動画像５１を含まないロック画面５０ａを、表示装置１４に表示させる（Ｓａ４４）。すなわち、動画像５１はロック画面５０ａに表示されない。したがって、動画像５１の再生を進行させるステップＳａ６は省略される。処理装置１１の他の動作は第１実施形態と同様である。
【００４４】
第３実施形態においても第１実施形態と同様の効果が実現される。また、第３実施形態では、移動解析部３０が検出した移動速度に応じて動画像５１の表示の有無が制御される。したがって、情報処理装置１００の利用者の実際の状況のもとで適切なロック画面５０を表示できるという利点がある。
【００４５】
＜第４実施形態＞
第４実施形態の移動解析部３０は、第３実施形態と同様に、情報処理装置１００の移動速度を特定する。表示制御部３２は、移動解析部３０が特定した移動速度に応じて動画像５１の再生速度を制御する。第３実施形態で例示した通り、情報処理装置１００の移動速度が速いほど、利用者が急いでいる状況であると推定される。以上の事情を考慮して、第４実施形態の表示制御部３２は、情報処理装置１００の移動速度が速いほど、表示装置１４に表示される動画像５１の再生速度を速める。
【００４６】
第４実施形態においても第１実施形態と同様の効果が実現される。また、第４実施形態では、移動解析部３０が検出した移動速度に応じて動画像５１の表示の有無が制御される。したがって、情報処理装置１００の利用者の実際の状況のもとで適切な動画像５１を表示できるという利点がある。
【００４７】
以上の説明から理解される通り、第２実施形態から第４実施形態は、移動解析部３０が情報処理装置１００の移動速度および／または移動方向を特定し、移動解析部３０が特定した移動速度および／または移動方向に応じて表示制御部３２がロック画面５０の表示を制御する構成として包括的に表現される。以上の構成によれば、情報処理装置１００の利用者の実際の状況のもとで適切なロック画面５０を表示できるという利点がある。なお、第２実施形態から第４実施形態のなかから選択された２以上の形態を組合わせてもよい。
【００４８】
＜第５実施形態＞
第５実施形態の移動解析部３０は、情報処理装置１００の移動を検出するほか、情報処理装置１００の移動速度を特定する（Ｓａ１）。移動速度の特定には、検出装置１６から出力される検出信号が利用される。
【００４９】
第５実施形態の認証処理部３３は、複数種の認証処理の何れかを選択的に実行する。具体的には、認証処理部３３は、コード認証および指紋認証の２種類の認証処理の何れかを実行する。指紋認証は、利用者の手指の指紋パターンを利用する認証処理である。具体的には、認証処理部３３は、指紋検出器（図示略）が検出した指紋パターンと、正規の利用者が事前に登録した参照データとを照合することで、利用者の正当性を判定する。
【００５０】
第５実施形態の認証処理部３３は、図５のステップＳａ１１において、複数種の認証処理のうち、移動解析部３０が特定した移動速度に応じた認証処理を実行する。例えば、認証処理部３３は、情報処理装置１００の移動速度が所定の閾値を上回る場合にはコード認証を実行し、移動速度が閾値を下回る場合には指紋認証を実行する。
【００５１】
第５実施形態においても第１実施形態と同様の効果が実現される。また、第５実施形態では、情報処理装置１００の移動速度に応じた種類の認証処理が実行される。したがって、移動速度に応じた多様な認証処理でロック状態を解除できるという利点がある。
【００５２】
なお、以上に例示した構成では、情報処理装置１００の移動速度に応じて認証処理を選択したが、情報処理装置１００の移動方向に応じて複数種の認証処理の何れかを選択してもよい。例えば、情報処理装置１００が縦向きで回転した場合と横向きで回転した場合とで、認証処理部３３が実行する認証処理の種類を相違させる。また、情報処理装置１００の移動速度および移動方向の双方に応じて複数種の認証処理の何れかを選択してもよい。なお、移動速度および／または移動方向に関する条件と認証処理部３３が実行する認証処理との関係は任意であり、例えば入力装置１５に対する利用者からの指示に応じて変更される。なお、第２実施形態から第４実施形態のなかから選択された２以上の形態を第５実施形態に組合わせてもよい。
【００５３】
＜第６実施形態＞
第６実施形態の移動解析部３０は、第５実施形態と同様に、情報処理装置１００の移動を検出するほか、情報処理装置１００の移動速度を特定する（Ｓａ１）。移動速度の特定には、検出装置１６から出力される検出信号が利用される。
【００５４】
図１０は、第６実施形態の処理装置１１が実行する一部の処理の内容を例示するフローチャートである。第６実施形態において、情報処理装置１００の移動が検出されてから、情報処理装置１００の動作状態が通常状態に遷移するまでの手順（Ｓａ２〜Ｓａ１３）は第１実施形態と同様である。したがって、第６実施形態においても第１実施形態と同様の効果が実現される。
【００５５】
情報処理装置１００の動作状態が通常状態に遷移すると（Ｓａ１３）、第６実施形態の動作制御部３１は、情報処理装置１００の移動速度に応じたプログラムを起動する（Ｓｂ１）。すなわち、情報処理装置１００の移動速度に応じて、ロック状態の解除後に起動されるプログラムが変化する。例えば、情報処理装置１００の移動速度が所定の閾値を上回る場合、動作制御部３１は、撮像装置（図示略）により画像を撮像するためのプログラムを起動する。他方、情報処理装置１００の移動速度が閾値を下回る場合、動作制御部３１は、通信装置１３を利用して電子メールを授受するためのプログラムを起動する。
【００５６】
以上に説明した通り、第６実施形態では、情報処理装置１００の移動速度に応じたプログラムがロック状態の解除後に起動される。したがって、ロック状態の解除後に利用者が入力装置１５の操作によりプログラムを選択する構成と比較して、利用者がプログラムを選択するための負荷を軽減することが可能である。
【００５７】
なお、以上に例示した構成では、情報処理装置１００の移動速度に応じてプログラムを選択したが、情報処理装置１００の移動方向に応じて複数のプログラムの何れかを選択してもよい。例えば、情報処理装置１００が縦向きで回転した場合と横向きで回転した場合とで、ロック状態の解除後に起動されるプログラムを相違させる。また、情報処理装置１００の移動速度および移動方向の双方に応じて複数のプログラムの何れかを選択してもよい。なお、移動速度および／または移動方向に関する条件とロック状態の解除後に起動されるプログラムとの関係は任意であり、例えば入力装置１５に対する利用者からの指示に応じて変更される。なお、第２実施形態から第５実施形態のなかから選択された２以上の形態を第６実施形態に組合わせてもよい。
【００５８】
＜第７実施形態＞
第７実施形態の移動解析部３０は、第５実施形態と同様に、情報処理装置１００の移動を検出するほか、情報処理装置１００の移動速度を特定する（Ｓａ１）。移動速度の特定には、検出装置１６から出力される検出信号が利用される。
【００５９】
図１１は、第７実施形態の処理装置１１が実行する一部の処理の内容を例示するフローチャートである。第７実施形態において、情報処理装置１００の移動が検出されてから、情報処理装置１００の動作状態が通常状態に遷移するまでの手順（Ｓａ２〜Ｓａ１３）は第１実施形態と同様である。したがって、第７実施形態においても第１実施形態と同様の効果が実現される。
【００６０】
情報処理装置１００の動作状態が通常状態に遷移すると（Ｓａ１３）、第７実施形態の動作制御部３１は、情報処理装置１００の移動速度に応じて、ロック状態の解除後における情報処理装置１００の動作モードを設定する（Ｓｂ２）。例えば、移動速度が所定の閾値を上回る場合、動作制御部３１は、情報処理装置１００の動作モードを通常モードに設定する。また、移動速度が閾値を下回る場合、動作制御部３１は、情報処理装置１００の動作モードをマナーモードに設定する。マナーモードは、着信音等の各種の音の再生が制限された動作モードである。通常モードは、マナーモードで制限される動作が許可された動作モードである。動作制御部３１が動作モード設定すると（Ｓｂ２）、表示制御部３２は、ホーム画面４０を表示装置１４に表示させる（Ｓａ１４）。
【００６１】
以上に説明した通り、第７実施形態では、情報処理装置１００の移動速度に応じて、ロック状態の解除後の動作モードが設定される。したがって、解除アイコン５２の選択のための操作とは別個に利用者が動作モードを選択する必要がある構成と比較して、利用者が動作モードを選択するための負荷を軽減することが可能である。
【００６２】
なお、以上に例示した構成では、情報処理装置１００の移動方向に応じて動作モードを選択したが、情報処理装置１００の移動方向に応じて動作モードを選択してもよい。例えば、情報処理装置１００が縦向きで回転した場合と横向きで回転した場合とで、ロック状態の解除後における動作モードを相違させる。また、情報処理装置１００の移動速度および移動方向の双方に応じて複数のプログラムの何れかを選択してもよい。なお、移動速度および／または移動方向に関する条件とロック状態の解除後の動作モードとの関係は任意であり、例えば入力装置１５に対する利用者からの指示に応じて変更される。なお、第２実施形態から第６実施形態のなかから選択された２以上の形態を第６実施形態に組合わせてもよい。
【００６３】
また、以上の説明では通常モードとマナーモードとを例示したが、移動速度および／または移動方向に応じて切替えられる動作モードの種類は以上の例示に限定されない。具体的には、通常モードとシニアモードとキッズモードとの何れかを移動速度および／または移動方向に応じて選択してもよい。例えば、移動速度が所定の閾値を下回る場合にはシニアモードに設定され、移動方向が所定の条件を充足する場合にはキッズモードに設定され、それ以外の場合には通常モードに設定される。シニアモードは、例えば、表示装置１４に表示される文字が通常モードと比較して拡大されたり、情報処理装置１００の各機能の案内が表示されたりする、高齢者に好適な動作モードである。他方、キッズモードは、情報処理装置１００の一部の機能が制限されたり、特定のＷｅｂサイトへのアクセスが制限されたりする、子供に好適な動作モードである。
【００６４】
また、複数の利用者（例えば利用者Ａおよび利用者Ｂ）が情報処理装置１００を共用するマルチユーザ環境において、複数の利用者にそれぞれ対応する複数の動作モードの何れかを、情報処理装置１００の移動速度および／または移動方向に応じて設定してもよい。例えば、移動速度が所定の閾値を上回る場合には、ロック状態の解除後に利用者Ａ用の動作モードに設定され、移動方向が所定の条件を充足する場合には、ロック状態の解除後に利用者Ｂ用の動作モードに設定される。
【００６５】
＜変形例＞
本発明は、以上に例示した実施形態に限定されない。具体的な変形の態様を以下に例示する。以下の例示から任意に選択された２以上の態様を併合してもよい。
【００６６】
（１）前述の各形態では、解除アイコン５２が操作された場合に実行される認証処理の成功を条件としてロック状態を解除したが、認証処理部３３による認証処理を省略してもよい。例えば、解除アイコン５２が操作された場合に（認証処理を実行することなく）、ロック状態から通常状態に遷移する構成も想定される。以上の説明から理解される通り、前述の各形態における解除アイコン５２は、ロック解除のために利用者が操作する画像として包括的に表現される。
【００６７】
（２）第２実施形態から第７実施形態において、移動解析部３０が情報処理装置１００の移動を検出した場合にロック画面５０を表示させる構成を省略してもよい。例えば、入力装置１５に対する利用者からの操作を契機としてロック画面５０を表示する構成が想定される。以上の構成では、移動解析部３０が情報処理装置１００の移動を検出する動作も省略される。また、情報処理装置１００の移動を契機としてロック状態に遷移する機能を、例えば入力装置１５に対する利用者からの指示に応じて有効または無効に切替えてもよい。当該機能が無効に設定された状態では、情報処理装置１００の移動が検出されただけではロック状態に遷移せず、例えば入力装置１５に対する操作を契機として、情報処理装置１００の動作状態が待機状態からロック状態に遷移する。
【００６８】
また、第２実施形態から第７実施形態において、解除アイコン５２の表示態様を経時的に変化させる構成を省略してもよい。例えば、解除アイコン５２を固定の表示態様で表示する構成が想定される。
【００６９】
（３）動画像５１の表示前に、例えば現在時刻等の他の画像をロック画面５０に表示してもよい。例えば、待機状態からロック状態に遷移すると、まず、図１２に例示される通り、解除アイコン５２と現在時刻５３とを含むロック画面５０ｂが表示される。表示の開始から所定の時間が経過すると、現在時刻５３の表示が動画像５１に置換されて、図４の例示と同様に当該動画像５１の再生が進行する。なお、解除アイコン５２の表示態様を変化させる動作の開始は、現在時刻５３の表示が開始された時点、および、動画像５１の再生が開始された時点の何れでもよい。
【００７０】
（４）前述の各形態では、再生期間の終了後も動画像５１と解除アイコン５２とをロック画面５０に表示したが、再生期間の終了後におけるロック画面５０の内容は以上の例示に限定されない。例えば、再生期間の終了とともに動画像５１を消去し、再生期間内に動画像５１が表示されていた領域内に解除アイコン５２を表示してもよい。
【００７１】
（５）ロック画面５０に表示される動画像５１を切替えてもよい。例えば、内容が相違する複数の動画像５１をそれぞれ表す複数の画像データが記憶装置１２に記憶される。表示制御部３２は、複数の画像データの何れかを選択し、当該画像データが表す動画像５１を表示装置１４に表示させる。画像データの選択の方法は任意であるが、例えばランダムに選択する構成、または、利用者が指定した順番で選択する構成が想定される。
【００７２】
（６）前述の各形態では、コード認証および指紋認証の２種類の認証処理を例示したが、認証処理部３３が実行する認証処理の種類は以上の例示に限定されない。例えば、撮像装置が撮像した顔画像と事前に登録された参照データとを照合する顔認証を認証処理部３３が実行してもよい。また、利用者から取得した虹彩パターンと事前に登録された参照データとを照合する虹彩認証、または、利用者が表示面に接触する地点の軌跡パターンと事前に登録された参照データとを照合するパターン認証等の任意の認証処理が、認証処理部３３により実行される。
【００７３】
（７）前述の各形態では、携帯電話機またはスマートフォン等の可搬型の情報端末を情報処理装置１００として例示したが、情報処理装置１００の具体的な形態は任意であり、前述の各形態の例示には限定されない。例えば、可搬型または据置型のパーソナルコンピュータを情報処理装置１００として利用してもよい。
【００７４】
（８）前述の各形態において例示したフローチャートにおいて、各ステップの順序を変更してもよい。すなわち、本発明の好適な態様における各処理の順序は、特定の順序に限定されない。
【００７５】
（９）図２に例示された各機能は、ハードウェアおよびソフトウェアの任意の組合せによって実現される。また、各機能は、単体の装置によって実現されてもよいし、相互に別体で構成された２個以上の装置によって実現されてもよい。
【００７６】
（１０）前述の各形態で例示したプログラムは、ソフトウェア、ファームウェア、ミドルウェア、マイクロコードまたはハードウェア記述言語と呼ばれるか、他の名称によって呼ばれるかを問わず、命令、命令セット、コード、コードセグメント、プログラムコード、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順または機能等を意味するよう広く解釈されるべきである。
【００７７】
また、ソフトウェア、命令などは、伝送媒体を介して送受信されてもよい。例えば、ソフトウェアが、同軸ケーブル、光ファイバケーブル、ツイストペアおよびデジタル加入者回線（ＤＳＬ）などの有線技術および／または赤外線、無線およびマイクロ波などの無線技術を使用してウェブサイト、サーバ、または他のリモートソースから送信される場合、これらの有線技術および／または無線技術は、伝送媒体の定義内に含まれる。
【００７８】
（１１）本明細書で説明した各態様／実施形態は、ＬＴＥ（Long Term Evolution）、ＬＴＥ−Ａ（LTE-Advanced）、ＳＵＰＥＲ ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ ８０２．１１（Ｗｉ−Ｆｉ）、ＩＥＥＥ ８０２．１６（ＷｉＭＡＸ）、ＩＥＥＥ ８０２．２０、ＵＷＢ（Ultra-WideBand）、Ｂｌｕｅｔｏｏｔｈ（登録商標）、その他の適切なシステムを利用するシステムおよび／またはこれらに基づいて拡張された次世代システムに適用されてもよい。
【００７９】
（１２）入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００８０】
（１３）判定は、１ビットで表される値（０か１か）によって行われてもよいし、真偽値（Boolean：trueまたはfalse）によって行われてもよいし、数値の比較（例えば、所定の値との比較）によって行われてもよい。
【００８１】
（１４）本明細書で説明した各態様／実施形態は単独で用いてもよいし、組み合わせて用いてもよいし、実行に伴って切り替えて用いてもよい。
【００８２】
（１５）本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、またはこれらの任意の組み合わせによって表されてもよい。
【００８３】
（１６）本明細書で使用する「システム」および「ネットワーク」という用語は、互換的に使用される。
【００８４】
（１７）本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００８５】
（１８）前述の各形態における情報処理装置１００としては移動局が好適である。移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００８６】
（１９）「接続された(connected)」、「結合された(coupled)」という用語、またはこれらのあらゆる変形は、２またはそれ以上の要素間の直接的または間接的なあらゆる接続または結合を意味し、互いに「接続」または「結合」された２つの要素間に１またはそれ以上の中間要素が存在することを含むことができる。要素間の結合または接続は、物理的なものであっても、論理的なものであっても、或いはこれらの組み合わせであってもよい。本明細書で使用する場合、２つの要素は、１またはそれ以上の電線、ケーブルおよび／またはプリント電気接続を使用することにより、並びにいくつかの非限定的かつ非包括的な例として、無線周波数領域、マイクロ波領域および光（可視および不可視の両方）領域の波長を有する電磁エネルギーなどの電磁エネルギーを使用することにより、互いに「接続」または「結合」されると考えることができる。
【００８７】
（２０）前述の各形態では、記憶装置１２としてＲＯＭおよびＲＡＭ等の記録回路を例示したが、フレキシブルディスク、光磁気ディスク(例えば、コンパクトディスク、デジタル多用途ディスク、Ｂｌｕ−ｒａｙ（登録商標）ディスク)、スマートカード、フラッシュメモリデバイス(例えば、カード、スティック、キードライブ)、ＣＤ−ＲＯＭ（Compact  Disc−ＲＯＭ）、レジスタ、リムーバブルディスク、ハードディスク、フロッピー（登録商標）ディスク、磁気ストリップ、データベース、サーバその他の適切な記憶媒体である。また、プログラムは、電気通信回線を介して送信されても良い。
【００８８】
（２１）本願の全体において、例えば、英語におけるa、anおよびtheのように、翻訳によって冠詞が追加された場合、これらの冠詞は、文脈から明らかにそうではないことが示されていなければ、複数を含む。
【００８９】
（２２）本発明が本明細書中に説明した実施形態に限定されないことは当業者にとって明白である。本発明は、特許請求の範囲の記載に基づいて定まる本発明の趣旨及び範囲を逸脱することなく修正および変更態様として実施することができる。したがって、本明細書の記載は、例示的な説明を目的とし、本発明に対して何ら制限的な意味を有さない。また、本明細書に例示した態様から選択された複数の態様を組合わせてもよい。
【符号の説明】
【００９０】
１００…情報処理装置、１１…処理装置、１２…記憶装置、１３…通信装置、１４…表示装置、１５…入力装置、１６…検出装置、３０…移動解析部、３１…動作制御部、３２…表示制御部、３３…認証処理部、４０…ホーム画面、４１…アイコン、５０…ロック画面、５１…動画像、５２…解除アイコン。
【図１】
2019028944.tif 000003
【図２】
2019028944.tif 000004
【図３】
2019028944.tif 000005
【図４】
2019028944.tif 000006
【図５】
2019028944.tif 000007
【図６】
2019028944.tif 000008
【図７】
2019028944.tif 000009
【図８】
2019028944.tif 000010
【図９】
2019028944.tif 000011
【図１０】
2019028944.tif 000012
【図１１】
2019028944.tif 000013
【図１２】
2019028944.tif 000014